(57)【要約】【課題】印刷時に乱丁、落丁があった場合に確実に、かつ容易に検出することができる画像形成装置を提供することにある。【解決手段】画像形成部は、画像形成に際して画像に関する識別情報を生成して後処理部に生成した識別情報を出力するとともに識別情報を記録紙に形成する。後処理部は、出力された識別情報の記憶を行い、記録紙に記録された識別情報の画像と記憶された識別情報とに基づいて、形成された記録紙の整合性を判定する。【選択図】図３
2005186464.tif 000002
【特許請求の範囲】
【請求項１】
記録シートに画像を形成する画像形成部と、前記画像形成部により画像形成された記録シートに後処理を行う後処理部とを有する画像形成装置において、
前記画像形成部は、前記画像に関する識別情報を生成する識別情報生成手段と、前記生成された識別情報を前記後処理部に出力する出力手段と、前記生成された識別情報を前記画像とともに前記記録シートに形成する画像形成手段とを備え、
前記後処理部は、前記出力された識別情報を記憶する識別情報記憶手段と、前記記録シートに形成された識別情報の画像を検出する画像検出手段と、前記記憶された識別情報と前記撮影された識別情報の画像に基づいて、前記形成された記録シートの整合性を判定する判定手段とを備えたことを特徴とする画像形成装置。
【請求項２】
前記後処理は、前記画像形成部により画像形成された複数の記録シートを束にして綴じる綴じ処理であって、
前記判定手段は、前記綴じ処理が行われる前に記録シートの整合性を判定することを特徴とする請求項１に記載の画像形成装置。
【請求項３】
前記識別情報は、前記記録シートに形成される画像の形成位置を示す情報と、前記画像の頁番号を示す情報を含んでいることを特徴とする請求項１又は２に記載の画像形成装置。
【請求項４】
前記判定手段は、前記記録シートの乱丁及び落丁を判定することを特徴とする請求項１〜３の何れか一項に記載の画像形成装置。
【請求項５】
前記識別情報の画像は、形状及び色彩が視認し難い状態で前記記録シートに形成されることを特徴とする請求項１〜４の何れか一項に記載の画像形成装置。
【発明の詳細な説明】
【技術分野】
【０００１】
本発明は、印刷における乱丁、落丁を確実に、かつ容易に検出できる画像形成装置に関するものである。
【背景技術】
【０００２】
画像形成装置本体より排出される画像記録済の記録紙を、部数ごとに丁合してステープラ等により綴じ合わせて冊子にする後処理機能を備える装置としてフィニッシャと呼ばれる後処理装置が利用されている。
【０００３】
これまで、印刷処理を行う画像形成装置と綴じ合わせ処理を行う後処理装置とは夫々独立した工程で行われており、印刷工程で乱丁、落丁等の印刷異常が発生した場合でも、綴じ合わせ工程では即座に印刷異常を検知することができなかった。そのため、綴じ合わせ処理後、一冊ずつ目視で確認しながら排除がおこなわれていた。また、各装置単体では、印刷異常を検知する装置が提案されており、例えば、折丁を特定するための識別情報を利用して、乱丁監視を行う装置が提案されている（例えば、特許文献１参照）。また、乱丁検査用の画像処理装置として正規の印刷物を撮影して得られる基準画像と検査対象となる印刷物を撮影して得られる検査画像とを比較して乱丁の有無を検査する乱丁防止装置が提案されている（例えば、特許文献２参照）。
【特許文献１】特開平０９−７６６６０号公報
【特許文献２】特開平０７―２５７０６５号公報
【発明の開示】
【発明が解決しようとする課題】
【０００４】
しかしながら、目視により冊子の乱丁検査を行うことは、極めて面倒であり、製本機能の低下と製本コストの上昇とを招く問題があった。また、特許文献１の方法では、丁合機単体で乱丁検査を行っており、印刷工程で乱丁発生後即座に印刷異常を検知することはできないため、同様の乱丁頁を印刷工程が印刷し続ける可能性があった。また、特許文献２の方法では、単体で乱丁検査を行うのに加えて、印刷頁全体を撮影した画像を格納するための大量のメモリが必要となるため、コストの上昇を招く問題があった。
【０００５】
本発明の課題は、印刷時に乱丁、落丁があった場合に確実に、かつ容易に検出することができる画像形成装置を提供することにある。
【課題を解決するための手段】
【０００６】
請求項１の発明は、
記録シートに画像を形成する画像形成部と、前記画像形成部により画像形成された記録シートに後処理を行う後処理部とを有する画像形成装置において、
前記画像形成部は、前記画像に関する識別情報を生成する識別情報生成手段と、前記生成された識別情報を前記後処理部に出力する出力手段と、前記生成された識別情報を前記画像とともに前記記録シートに形成する画像形成手段とを備え、
前記後処理部は、前記出力された識別情報を記憶する識別情報記憶手段と、前記記録シートに形成された識別情報の画像を検出する画像検出手段と、前記記憶された識別情報と前記撮影された識別情報の画像に基づいて、前記形成された記録シートの整合性を判定する判定手段とを備えたことを特徴としている。
【０００７】
請求項２の発明は、請求項１に記載の画像形成装置において、
前記後処理は、前記画像形成部により画像形成された複数の記録シートを束にして綴じる綴じ処理であって、
前記判定手段は、前記綴じ処理が行われる前に記録シートの整合性を判定することを特徴としている。
【０００８】
請求項３の発明は、請求項１又は２に記載の画像形成装置において、
前記識別情報は、前記記録シートに形成される画像の形成位置を示す情報と、前記画像の頁番号を示す情報を含んでいることを特徴としている。
【０００９】
請求項４の発明は、請求項１〜３の何れか一項に記載の画像形成装置において、
前記判定手段は、前記記録シートの乱丁及び落丁を判定することを特徴としている。
【００１０】
請求項５の発明は、請求項１〜４の何れか一項に記載の画像形成装置において、
前記識別情報の画像は、形状及び色彩が視認し難い状態で前記記録シートに形成されることを特徴としている。
【発明の効果】
【００１１】
請求項１の発明によれば、画像形成部は、識別情報を生成して後処理部に出力を行い、記録シートに画像とともに識別情報を画像形成し、後処理装置は、画像形成部から出力された識別情報を識別情報記憶部に記憶を行い、形成された記録シートから検出した識別情報の画像と、記憶された識別情報とに基づいて、形成された記録シートの整合性を判定することで、印刷の異常を確実に、かつ容易に検出することができる。
【００１２】
請求項２の発明によれば、後処理部の綴じ処理前に記録シートの整合性を検査することで、印刷異常頁が含まれた冊子を生成することを防止できるため、製本コストの削減を図ることが可能であり、製本における印刷の異常を確実に、かつ容易に検出することができる。
【００１３】
請求項３〜４の発明によれば、識別情報は、記録シートに形成される画像の配置位置を示す情報と、前記画像の頁番号を示す情報を含んでいることで、印刷位置のズレや、乱丁、落丁を検査することができるため、印刷の異常を確実に、かつ容易に検出することができる。
【００１４】
請求項５の発明によれば、識別情報の画像は、形状及び色彩が視認し難い状態で前記記録シートに形成されることで、記録シートを実見した際に識別情報の画像を意識させないようにすることができる。
【発明を実施するための最良の形態】
【００１５】
以下、図を参照して、本発明を実施するための最良の形態を詳細に説明する。
図１に本実施の形態の画像形成装置の構成を模式的に示す。図１に示すように、画像形成装置ＧＨは、大別して画像形成部１と後処理部１０とから構成される。この画像形成部１は、例えば、複写機、プリンタ、ファクシミリ及びこれらの諸機能を有する複合機であり、電子写真方式により転写紙Ｐに画像を形成し、形成した転写紙Ｐを後処理部１０に供給するものである。
【００１６】
後処理部１０は、画像形成部１と電気的に接続されており、画像形成部１から供給された転写紙Ｐにパンチ処理、ステイプル処理、折り畳み処理等の各種処理を施すフィニッシャであり、画像形成部１に着脱可能に取り付けられる。
【００１７】
まず、画像形成部１の構成を説明する。図１に示すように、画像形成部１は、原稿給紙部２、スキャナ部３、プリンタ部４、供給部５、搬送手段６、表示入力部７（図２参照）、通信部８（図２参照）、これら各部を制御する画像制御部９（図２参照）を有する。なお、画像制御部９の構成については後述する。
【００１８】
原稿給紙部２は、原稿給紙台２１、原稿搬送機構（図示略）等を有し、原稿給紙台２１に載置された原稿Ｏを原稿搬送機構により１枚ずつスキャナ部３に搬送する。
【００１９】
スキャナ部３は、透明なコンタクトガラス３１の下部にＣＣＤ（Charge Coupled Device）３２や光源３３を備え、図２に示すスキャナ駆動制御部３４によりＣＣＤ３２等を駆動制御して、コンタクトガラス３１に載置された原稿Ｏの画像データを読み取る。具体的には原稿Ｏを光源３３からの照明により走査し、その反射光をＣＣＤ３２により結像して光電変換することにより画像データを生成し、図２に示す読取処理部９２へ出力する。
【００２０】
ここで、画像は、図形や写真等のイメージデータに限らず、文字や記号等のテキストデータ等も含む。なお、ユーザは、原稿給紙部２から原稿Ｏを給紙する他、直接コンタクトガラス３１に原稿Ｏを載置することができる。
【００２１】
画像形成手段としてのプリンタ部４は、回転可能に設けられた感光ドラム４１の周囲に露光部４２、現像部４３、定着部４４等を備える。露光部４２は、ＬＤ（Laser Diode）等からなる光源を備え、図２に示すプリンタ制御部４５は、プリンタ部４内の各構成要素を駆動制御し、電子写真方式により転写紙Ｐに画像を形成する。具体的には、ＬＤから発せられるレーザビームＬにより感光ドラム４１を露光走査させて画像データに基づく静電潜像を形成し、現像部４３によりトナー等の現像材を感光ドラム４１に吸着させ、これを転写紙Ｐに転写し、定着部４４において転写紙Ｐにトナーを熱定着させることにより画像を形成する。画像が形成された転写紙Ｐは後処理部１０に供給される。以下、画像が形成された転写紙Ｐを指して、複写物Ｃという。
【００２２】
また、プリンタ制御部４５は、出力手段として、制御部９１、制御部１２１間のデータ通信の入出力を行い、具体的には、識別情報生成部９８で生成される識別情報の出力を、制御部１２１に対し行う。
【００２３】
供給部５は、転写紙Ｐが収容又は載置される複数の給紙トレイ５１と手差しトレイ５２とを備えている。給紙トレイ５１、手差しトレイ５２に収容又は載置された転写紙Ｐはそれぞれ搬送経路６０ａ又は搬送経路６０ｂを介してプリンタ部４に供給される。なお、図１には、２つの給紙トレイ５１をプリンタ部４の下方に上下に並べて配置したものを示したが、給紙トレイ５１の数や配置はこれに限定されるものではない。また、手差しトレイ５２は、画像形成部１の他側部に設けられており、同じく他側部に大容量の給紙トレイを設けることもできる。
【００２４】
搬送手段６は搬送経路６０ａ、６０ｂ、６０ｃ、６０ｄ及び搬送ローラ（図示略）等を備える。転写紙Ｐは、供給部５から搬送経路６０ａ、６０ｂ、６０ｃに沿ってプリンタ部４内の各部に搬送され、プリンタ部４から搬送経路６０ｄに沿って画像が形成された転写紙Ｐが後処理部１０に供給される。
【００２５】
表示入力部７は、図２で示すように、入力制御部７１、ＬＣＤ（Liquid Crystal Display）７２等により構成されている。入力制御部７１は、制御部９１からの表示信号を受信して、ＬＣＤ７２における表示制御を行う。また、ＬＣＤ７２上のタッチパネルから入力される操作信号を制御部９１へ出力する。
【００２６】
ＬＣＤ７２は、入力制御部７１から入力される表示信号の指示に従って画面上に各種操作ボタンや画像の状態表示、各機能の動作状況等の表示を行う。ＬＣＤ７２の表示画面は、透明なシートパネルにより覆われており、指又は専用のスタイラスペンで触れることにより入力される位置情報を入力情報として入力制御部７１に出力する、タッチパネルにより構成されている。
【００２７】
通信部８は、図２で示すように、通信制御部８１、画像メモリ８２、Ｉ／Ｆ８３等により構成されている。通信制御部８１は、通信部８０の各部の動作を制御し、ネットワークＮに接続された端末等の外部機器との間でデータの送受信を行う。また、通信制御部８１は、画像制御部９内の制御部９１とＰＣＩバスにより接続されており、通信部８と画像制御部９とのデータの入出力を制御する。
【００２８】
画像メモリ８２は、ＤＲＡＭ等により構成されており、通信制御部８１の制御により、ネットワークＮを介して外部機器から受信した画像データ、及びＰＣＩバスを通じて画像制御部９から出力された画像データを一時的に格納する。
【００２９】
Ｉ／Ｆ８３は、ＬＡＮ（Local Area Network）、ＷＡＮ（Wide Area Network）、あるいはインターネット等のネットワークＮに接続された伝送媒体に接続可能なインターフェースであり、ネットワークＮを介して入力される画像データを通信制御部８１に出力するとともに、通信制御部８１から出力される画像データを、ネットワークＮを介して外部機器に送信する。
【００３０】
次に、後処理部１０について説明する。後処理部１０は、パンチ処理部１０１、ステイプル処理部１０２及び折り畳み処理部１０３と、画像検出部１１０と、これらを制御する後処理制御部１２０（図２参照）と、排出トレイ１０５と、画像形成部１から供給される複写物Ｃを、後処理要求に応じて所定の処理部１０１、１０２、１０３に搬送し、後処理後の複写物Ｃを排出トレイ１０５ａ、１０５ｂに排出させるための搬送手段１０６とが設けられている。なお、搬送手段１０６は、搬送経路１０６ａ、１０６ｂ、１０６ｃ、１０６ｄ、１０６ｅと図示しない搬送ローラ等を備えている。
【００３１】
パンチ処理部１０１は、パンチ処理要求に基づき画像形成部１から供給される転写紙Ｐにパンチ処理を施すもので、転写紙Ｐの搬送方向上流側にパンチ処理を施すように設定されている。パンチ処理が施された複写物Ｃは、搬送経路１０６ａを介して排出トレイ１０５ａに排出される。
【００３２】
ステイプル処理部１０２は、スタック台１０２ａと、ステープラ１０２ｂを有し、搬送経路１０６ｂに沿ってスタック台１０２ａに搬送された複写物Ｃを束にしてステープラ１０２ｂにより綴じ針で綴じるステイプル処理を施す。ステイプル処理が施された複写物Ｃは、搬送経路１０６ｃを介して排出トレイ１０５ａに排出される。
【００３３】
ステープラ１０２ｂは複写物Ｃの搬送方向に直交する幅方向に所定の距離をあけて２つ用意される。それぞれのステープラ１０２ｂは、複写物Ｃの幅方向に移動可能に設けられる。ステイプル処理要求の内容に応じて、１つまたは２つのステープラ１０２ｂが駆動制御され、上記と同様に、複写物Ｃの搬送方向上流側にステイプル処理が実行されるように設定されている。
【００３４】
折り畳み処理部１０３は、搬送経路１０６ｂ、１０６ｄに沿って搬送された複写物Ｃを、後処理要求の内容に応じて、複写物Ｃに対して２つ折り処理、Ｚ折り処理、３つ折り処理等の折り畳み処理を施す。折り畳み処理が施された複写物は、搬送経路１０６ｅに沿って排出トレイ１０５ｂに排出される。
【００３５】
画像検出部１１０は、画像検出手段として、図２で示すように、ＣＣＤ、ＣＭＯＳ等の二次元イメージセンサを有する検出部１１２を備え、検出制御部１１１により検出部１１２を駆動制御して、スタック台９２ａに搬送される複写物Ｃに形成された識別情報の画像を検出する。さらに、検出制御部１１１は、検出された識別情報の画像を、制御部１２１に出力する。
【００３６】
後処理制御部１２０は、判定手段として、図２で示すように、制御部１２１、識別情報記憶部１２２から構成されている。制御部１２１は、内部メモリ（図示略）あるいは不揮発メモリ（図示略）等に記憶される各種プログラムに従い、後処理部１０を構成する各部の動作を集中制御する。具体的には、プリンタ制御部４５を介して入力される識別情報を、識別情報記憶部１２２に記憶させる。また、画像検出部１１０で撮影された識別情報の画像と、識別情報記憶部１２２に記憶された識別情報に基づいて複写物Ｃに印刷された画像の整合性を判定し、判定結果に応じた制御を行う。
【００３７】
ここで複写物Ｃの整合性とは、複写物Ｃに形成された画像の印刷位置と、当該複写物Ｃの頁順序とを意味しており、複写物Ｃに形成された識別情報の画像と、画像形成部１より送信された識別情報とを比較することで判定が行われる。このような、判定を行うことで、印刷ズレ、乱丁、落丁等の印刷不良を検出することができる。
【００３８】
また、制御部１２１は、プリンタ制御部４５を介して入力される後処理要求に応じて、複写物Ｃを搬送経路に沿って所定の処理部１０１、１０２、１０３に搬送し、各部を駆動制御して複写物Ｃに所定の後処理を施させる。また後処理要求がない場合、画像形成部１から供給された複写物Ｃを排出トレイ１０５ａに排出されるように制御する。
【００３９】
識別情報記憶手段としての識別情報記憶部１２２には、プリンタ制御部４５を介して送信された識別情報が記憶される。なお、記憶する識別情報の数は、単一としてもよいし複数としてもよい。
【００４０】
次に、図２を参照して上記した画像形成部１の画像制御部９の機能的構成を説明する。
図２に示す様に、画像形成装置ＧＨは、画像制御部９、スキャナ部３、プリンタ部４、表示入力部７、通信部８を有する画像形成部１と、後処理制御部１２０、処理部１００、画像検出部１１０を有する後処理部１０とを備えて構成されている。
【００４１】
画像制御部９は、制御部９１、読取処理部９２、書込処理部９３、圧縮ＩＣ９４、伸長ＩＣ９５、不揮発メモリ９６、画像メモリ９７、識別情報生成部９８を有する。
【００４２】
制御部９１は、内部メモリ（図示略）あるいは不揮発メモリ９６等に記憶される各種プログラムに従い、画像形成部１を構成する各部の動作を集中制御し、画像形成部１の複写機能、ＦＡＸ機能、プリンタ機能、スキャナ機能等の画像形成機能を発揮させる。また、制御部９１は、内部メモリまたは不揮発メモリ９６に格納される識別情報生成処理に従って、識別情報生成部９８の制御を行う。更に、制御部９１は、識別情報生成部９８が生成した識別情報を、画像データとともに画像形成するように書込処理部９３の制御を行う。
【００４３】
また、制御部９１は、識別情報生成部９８で生成された識別情報を、プリンタ制御部４５に出力する制御を行う。
【００４４】
また、制御部９１は、通信制御部８１とＰＣＩバスにより接続されており、通信部８と画像制御部９との間のデータの入出力を制御する。
【００４５】
読取処理部９２は、ＣＣＤ３３から画像データを受信し、受信した画像データを圧縮ＩＣ９４に出力する。圧縮ＩＣ９４は、制御部９１からの制御信号に応じて画像データを圧縮し、生成した圧縮データを制御部９１に出力する。
【００４６】
伸長ＩＣ９５は、制御部９１から入力される圧縮データを伸長して画像データとし、それを書込処理部９３に出力する。書込処理部９３は、伸長ＩＣ９５から入力される画像データまたは制御部９１から直接入力される画像データに基づくＰＷＭ(Pulse Width Modulation)信号を生成し、プリンタ部４に出力する。プリンタ部４は、入力された画像データに基づき、プリント部４６をプリンタ制御部４５により駆動制御して、転写紙Ｐに画像を形成して複写物Ｃを生成する。
【００４７】
不揮発メモリ９６は、画像形成装置ＧＨに係る各種設定データ、プログラム等を記憶している。
【００４８】
画像メモリ９７は、ＤＲＡＭ（Dynamic Random Access Memory）等により構成される。制御部９１の制御により、圧縮ＩＣ９４で圧縮された画像データ等の圧縮データを記憶及び伸長ＩＣ９５により伸長された１頁分の画像データが格納される。
【００４９】
識別情報生成部９８は、識別情報生成手段として、制御部９１により、スキャナ部３から入力された画像データ又は通信部８を介して外部端末装置から入力された画像データに対し、転写紙Ｐに当該画像データが形成される領域を示す画像形成領域情報と、当該画像データが何頁目にあたるかを示す頁番号情報とを含んだ識別情報を生成する。なお、本実施の形態で入力される画像データは、複数頁の画像形成を要するものであるとする。また、片面印刷、両面印刷を問わないものとする。
【００５０】
次に、図３のシーケンス図を参照して、画像形成装置ＧＨに入力される画像データに対して画像形成を行う際の動作を説明する。
【００５１】
まず、画像形成部１にネットワークＮに接続された端末装置又はスキャナ部３から画像データが入力されると（ステップＳ１０）、識別情報生成部９８により、当該画像データ中で最初に画像形成が行われる画像データに対応する識別情報が生成される（ステップＳ１１）。
【００５２】
生成された識別情報は、プリンタ制御部４５を介して、後処理部１０に出力が行われるる（ステップＳ１２）。後処理部１０では、制御部１２１の制御によって、当該識別情報が識別情報記憶部１２２に記憶される（ステップＳ１３）。
【００５３】
次に、画像形成部１では、生成した識別情報を、当該識別情報に対応する画像データとともに転写紙Ｐに画像形成が行われ（ステップＳ１４）、形成後の複写物Ｃが搬送手段６によって後処理部１０に搬送される（ステップＳ１５）。
【００５４】
搬送経路９６ｂを介して、スタック台９２ａに格納された複写物Ｃは、画像検出部１１０により、複写物Ｃに形成された識別情報の画像が検出される（ステップＳ１６）。検出された識別情報の画像と、ステップＳ１３で識別情報記憶部１２２に記憶された識別情報とが比較され、制御部１２１により複写物Ｃの整合性が判定される（ステップＳ１７）。
【００５５】
判定結果が制御部１２１により、画像形成部１に出力がなされ（ステップＳ１８）、入力された判定情報に基づいて、制御部９１により各種制御が行われる。
【００５６】
次に、図４のフローチャートに基づき、図３で示した画像形成部１の画像形成処理について説明する。
まず、画像形成部１にネットワークＮに接続された端末装置又はスキャナ部３から画像データが入力されると（ステップＭ１０；Ｙｅｓ）、識別情報生成部９８は、当該画像データにおいて、最初に画像形成が行われる画像データに対応する識別情報が生成され（ステップＭ１１）、生成された識別情報が後処理部１０に出力される（ステップＭ１２）。
【００５７】
さらに、生成された識別情報が、対応する画像データとともに転写紙Ｐに画像形成が行われ（ステップＭ１３）、形成後の複写物Ｃが搬送手段６によって後処理部１０に搬送される（ステップＭ１４）。
【００５８】
図５は、画像データ及び識別情報が転写紙Ｐに形成された複写物Ｃの一例を示す図である。
ここで、複写物Ｃの中央灰色部分が画像範囲Ｇであり、画像範囲Ｇの右辺上部及び左辺下方の破線円Ａ内に示した、直線（トンボ）と数字で表される情報が形成された識別情報の画像である。当該識別情報画像のトンボに基づいて印刷位置の整合性が、数字情報に基づいて頁番号の整合性が判定される。なお、識別情報の画像は、形状及び色彩が、例えば、黄色単色で形成されるように、人間の目に視認し難い状態で形成されているものとする。また、本実施の形態では、識別情報を直線と数字の組み合わせとしたが、これに限定されず、図形、文字、記号、バーコード、二次元バーコード等で構成してもよい。なお、識別情報の画像を形成する位置を、画像範囲Ｇの対角に配置することとしたが、これに限定されず、画像範囲Ｇの四隅に配置する等としてもよいが、画像範囲Ｇの視認を妨げない位置に配置することが望ましい。
【００５９】
画像検出部１１０の検出部１１２により、複写物Ｃ上に形成された識別情報の画像が検出されると、制御部１２１によって識別情報記憶部１２２に記憶された識別情報に基づいて複写物Ｃの整合性が判定される。判定の結果、両識別情報が合致する場合は、正常に画像形成が行われたと判定され、合致しない場合は、印刷異常と判定される。
【００６０】
判定を行う精度は、調整可能であるものとし、表示入力部７を介して後処理部１０に設定することができるものとする。ここで判定精度とは、印刷異常と判定させる閾値を表しており、検出部１１２が検出する範囲の所定の位置からの変位等を閾値と設定することが可能である。例えば、検出部１１２が検出する範囲の所定の位置から半径１ｃｍ以内に識別情報の画像が形成されていれば、正常に画像形成が行われていると判定され、半径１ｃｍ以内に存在しない場合は印刷異常と判定される。なお、判定精度は本実施の形態に限定されないものとする。
【００６１】
次いで、判定結果を示す判定情報信号が後処理部１０から入力され、その判定情報が正常を示す旨の信号であった場合は（ステップＭ１５；正常）、印刷処理が終了か否かが制御部９１により判断され、次頁の画像データがある場合は（ステップＭ１６；Ｎｏ）、ステップＭ１１に戻り、ステップＭ１１〜ステップＭ１６が繰返し行われる。
【００６２】
ステップＭ１６で全ての頁の印刷が終了したと制御部９１に判断された場合は（ステップＳ１６；Ｙｅｓ）、プリンタ制御部４５を介して、後処理部１０にステイプル処理を行う指示が出力された後（ステップＭ１７）、処理を停止させる。
【００６３】
一方、ステップＭ１５で、判定情報が異常を示す旨の信号であった場合は（ステップＭ１５；異常）、制御部９１により、表示入力部７のＬＣＤ７２に印刷不良発生の旨の表示を表示させて（ステップＭ１８）、処理を停止させる。
【００６４】
次に、図６のフローチャートに基づき、図３で示した後処理部１０の判定処理について説明する。
まず、図示しない不揮発メモリ等から、予め設定された判定精度の設定情報が読み込まれる（ステップＭ２１）。当該判定精度の設定に基づいて、複写物Ｃの整合性は制御部１２１により判定が行われる。
【００６５】
次いで、画像形成部１から識別情報が入力される迄待機が行われ、識別情報の入力があると（ステップＭ２２；Ｙｅｓ）、識別情報記憶部１２２に入力された識別情報が記憶される（ステップＭ２３）。
【００６６】
続いて、画像形成部１より搬送された複写物Ｃが、搬送経路９６ｂを介してスタック台９２ａに格納されると、画像検出部１１０により、複写物Ｃに形成された識別情報の画像が検出される（ステップＭ２４）。検出された識別情報の画像と、ステップＭ２３で識別情報記憶部１２２に記憶された識別情報に基づいて、制御部１２１により複写物Ｃの整合性が判定される（ステップＭ２５）。
【００６７】
正常に画像形成が行われたと判定された場合は（ステップＭ２５；正常）、画像形成部１に対して、正常に画像形成が行われた旨の判定情報信号が出力され（ステップＭ２６）、本処理は終了する。
【００６８】
一方、印刷異常と判定された場合は（ステップＭ２５；異常）、画像形成部１に対して、印刷異常が発生した旨の信号が出力され（ステップＭ２７）、本処理は終了する。
【００６９】
このように、識別情報に基づいて複写物Ｃの整合性を判定することにより、印刷時に乱丁、落丁があった場合に確実に、かつ容易に検出することが可能となる。
【００７０】
なお、本実施の形態では、画像検出部１１０をスタック台１０２ａの上部に配置することとしたが、これに限定されず、搬送される複写物Ｃを検出可能な位置であればよい。また、本実施の形態では、入力される画像データを、複数頁の画像形成を要するものであるとしたが、これに限定されない。
【００７１】
また、本実施の形態では、判定処理を後処理部１０で行うこととしたが、これに限定されず、画像形成部１としてもよいし、他の装置で行うこととしてもよい。
【００７２】
なお、本実施の形態における記述は、本発明に係る画像形成装置の一例を示すものであり、これに限定されるものではない。本実施の形態における画像形成装置ＧＨの細部構成及び詳細動作に関しては、本発明の趣旨を逸脱しない範囲で適宜変更可能である。
【図面の簡単な説明】
【００７３】
【図１】本発明を適用した画像形成装置ＧＨの断面図である。
【図２】画像形成装置ＧＨの構成を示すブロック図である。
【図３】画像形成装置ＧＨのシーケンスを示す図である。
【図４】画像形成部１の画像形成処理を示すフローチャートである。
【図５】複写物Ｃの一例を示した図である。
【図６】後処理部１０の判定処理を示すフローチャートである。
【符号の説明】
【００７４】
１  画像形成部
２  原稿給紙部
３  スキャナ部
４  プリンタ部
５  給紙部
６  搬送手段
７  表示入力部
８  通信部
９  画像制御部
１０  後処理部
１００  処理部
１１０  画像検出部
１２０  後処理制御部
ＧＨ  画像形成装置
Ｏ  原稿
Ｐ  転写紙
Ｃ  複写物
【図１】
2005186464.tif 000003
【図２】
2005186464.tif 000004
【図３】
2005186464.tif 000005
【図４】
2005186464.tif 000006
【図５】
2005186464.tif 000007
【図６】
2005186464.tif 000008